(57)【要約】【課題】端末種別等に影響されずに柔軟に認証処理することにある。【解決手段】予め端末種別毎利用者認証情報、端末種別毎、端末毎、アクセス場所毎のアクセス制御情報が記憶され、ネットワーク１を通じて携帯端末２から端末種別、端末識別、アクセス場所等の情報を伴うアクセスを受けた時、認証処理装置４２は、端末種別情報をもとに端末種別毎利用者認証情報から決定される利用者認証方式に従って携帯端末から利用者認証情報の入力を促す。携帯端末から利用者認証情報を入力すると、認証処理装置４２は、この利用者認証情報と前記端末種別毎利用者認証情報とから正当な利用者か判断する。正当な利用者の時、端末種別情報、端末識別情報、アクセス場所情報をもとに端末種別毎、端末毎、アクセス場所毎のアクセス制御情報を取得し、このアクセス制御情報が携帯端末のアクセスを許可する時に情報提供装置にアクセスするシステムである。【選択図】　　図１
2004021686.tif 000002
【特許請求の範囲】
【請求項１】
携帯端末からネットワークを通じてアクセスを受けた場合に認証処理を行う認証処理システムにおいて、
端末種別毎利用者認証方式を含む利用者認証情報が記憶され、前記携帯端末からネットワークを通じて前記端末種別情報を伴うアクセスを受けた場合に当該端末種別情報をもとに前記記憶された端末種別毎利用者認証方式の中から所定の利用者認証方式を決定し、前記アクセスを受けた携帯端末に対して当該利用者認証方式に従った利用者認証情報の入力または指定を促し、当該携帯端末から入力または指定により送られてくる利用者認証情報をもとに前記記憶された端末種別毎利用者認証情報を参照し、正当な利用者か否かを認証する認証処理装置を備えたことを特徴とする認証処理システム。
【請求項２】
携帯端末からネットワークを通じてアクセスを受けた場合に認証処理を行う認証処理システムにおいて、
端末種別毎利用者認証方式を含む利用者認証情報の他、端末種別毎、端末毎、アクセス場所毎、利用者グループ／利用者単位のアクセス制御情報が記憶され、前記携帯端末からネットワークを通じて端末種別情報、端末識別情報、アクセス場所情報を伴うアクセスを受けた場合にそれらの情報を記憶する手段と、この手段により記憶された情報のうち、前記端末種別情報をもとに前記記憶された端末種別毎の利用者認証方式の中から所定の利用者認証方式を決定し、前記アクセスを受けた携帯端末に対して当該利用者認証方式に従った利用者認証情報の入力または指定を促し、当該携帯端末から入力または指定された利用者認証情報を受けたとき、この利用者認証情報をもとに前記端末種別毎利用者認証情報を参照し、正当な利用者か否かを認証する利用者認証手段と、この認証手段により正当な利用者と認証したとき、前記端末種別情報、端末識別情報、アクセス場所情報、利用者認証情報をもとに前記端末種別毎、端末毎、アクセス場所毎、利用者グループ／利用者単位のアクセス制御情報を取得し、この取得されたアクセス制御情報が前記携帯端末からのアクセスを許可しているか否かを判断し、許可している場合に所要の情報提供装置にアクセスする手段とを有する認証処理装置を備えたことを特徴とする認証処理システム。
【請求項３】
請求項１または請求項２に記載の認証処理システムにおいて、
前記認証処理装置は、予め端末種別情報・端末識別情報毎に団体を含む企業内システムまたは当該企業内特定情報の利用有無を規定する端末管理情報が記憶され、前記記憶された端末種別情報および端末識別情報をもとに前記記憶された端末管理情報を参照し、アクセスされた携帯端末が正当な端末か否かを判断し、正当な端末であれば前記利用者認証手段による認証処理に移行させる端末認証処理手段を設けたことを特徴とする認証処理システム。
【請求項４】
携帯端末からネットワークを通じてアクセスを受けた場合に認証処理を行う認証処理装置において、
前記携帯端末からネットワークを通じて端末種別情報を伴うアクセスを受けた場合に当該端末種別情報を記憶する端末情報取得記憶手段と、
端末種別毎利用者認証方式を含む利用者認証情報が記憶され、前記記憶手段により記憶された端末種別情報をもとに前記記憶された端末種別毎利用者認証方式の中から所定の利用者認証方式を決定し、前記アクセスを受けた携帯端末に対して前記利用者認証方式に従った利用者認証情報の入力または指定を促し、当該携帯端末から入力または指定により送られてくる利用者認証情報を受けたとき、この利用者認証情報をもとに前記端末種別毎利用者認証情報を参照し、正当な利用者か否かを認証する利用者認証処理手段とを備えたことを特徴とする認証処理装置。
【請求項５】
携帯端末からネットワークを通じてアクセスを受けた場合に認証処理を行う認証処理装置において、
前記携帯端末からネットワークを通じて端末種別情報、端末識別情報、アクセス場所情報を伴うアクセスを受けた場合にこれらの情報を記憶する端末情報取得記憶手段と、
端末種別毎利用者認証方式を含む利用者認証情報が記憶され、前記記憶手段に記憶された端末種別情報をもとに前記記憶された端末種別毎利用者認証方式の中から所定の利用者認証方式を決定し、前記アクセスを受けた携帯端末に対して前記利用者認証方式に従った利用者認証情報の入力または指定を促し、当該携帯端末から入力または指定された利用者認証情報を受けたとき、この利用者認証情報をもとに前記端末種別毎利用者認証情報を参照し、正当な利用者か否かを認証する利用者認証処理手段と、
端末種別毎、端末毎、アクセス場所毎、利用者グループ／利用者単位のアクセス制御情報が記憶され、前記利用者認証処理手段による正当な利用者と認証された場合、前記記憶された端末種別情報、端末識別情報、アクセス場所情報、前記利用者認証情報をもとに前記記憶された端末種別毎、端末毎、アクセス場所毎、利用者グループ／利用者単位のアクセス制御情報を取得し、これらアクセス制御情報が前記携帯端末からのアクセスを許可しているかを判断するアクセス制御処理手段と、
このアクセス制御処理手段により該当携帯端末からのアクセスを許可していると判断された場合には所要の情報提供装置にアクセスするアクセス処理手段と
を備えたことを特徴とする認証処理装置。
【請求項６】
請求項４または請求項５に記載の認証処理装置において、
予め端末種別情報・端末識別情報毎に団体を含む企業内システムまたは当該企業内特定情報の利用有無を規定する端末管理情報が記憶され、前記記憶された端末種別情報および端末識別情報をもとに前記記憶された端末管理情報を参照し、アクセスされた携帯端末が正当な端末か否かを判断し、正当な端末であれば前記利用者認証処理手段による認証処理に移行させる端末認証処理手段を設けたことを特徴とする認証処理装置。
【請求項７】
予め端末種別毎に利用者認証方式を含む利用者認証情報及び端末種別毎・端末毎・アクセス場所毎、利用者グループ／利用者単位のアクセス制御情報が記憶され、携帯端末からネットワークを通じてアクセスを受けた場合に認証処理を行うコンピュータに、
前記携帯端末からネットワークを通じて端末種別情報、端末識別情報、アクセス場所情報等を伴うアクセスを受けた場合に一時記憶するとともに、当該端末種別情報のもとに前記予め記憶される端末種別毎の利用者認証方式の中から所定の利用者認証方式を決定し、前記携帯端末に利用者認証方式に従った利用者認証情報の入力または指定を促す端末種別認証方式決定機能と、
前記携帯端末から入力または指定により送られてくる利用者認証情報をもとに前記端末種別毎の利用者認証情報を参照し正当な利用者か否かを判断する認証処理機能と、
この認証処理機能により正当な利用者と認証した場合、前記記憶された端末種別情報、端末識別情報、アクセス場所情報、前記利用者認証情報をもとに前記端末種別毎・端末毎・アクセス場所毎、利用者グループ／利用者単位のアクセス制御情報を取得し、該当携帯端末からのアクセスが許可されているか否かを判断するアクセス許可判断機能と、
このアクセス許可判断機能により許可されている場合に所要の情報提供装置にアクセスするアクセス処理機能とを実現させることを特徴とする前記コンピュータ読取り可能なプログラム。
【請求項８】
携帯端末からネットワークを通じてアクセスを受けた場合に認証処理装置が認証処理を行う認証処理方法において、
前記携帯端末からネットワークを通じて端末種別情報、端末識別情報、アクセス場所情報を伴うアクセスを前記認証処理装置が受けた場合にこれらの情報を記憶した後、予め記憶された端末種別毎利用者認証方式を含む利用者認証情報の中から前記端末種別情報に対応した利用者認証方式を決定し、該当携帯端末に前記利用者認証方式に従った利用者認証情報の入力または指定を促す端末種別認証方式決定ステップと、このステップに基づいて該当携帯端末から入力または指定に基づいて送られてくる利用者認証情報をもとに、前記認証処理装置が予め記憶される端末種別毎の利用者認証情報を参照し、正当な利用者か否かを認証する利用者認証処理ステップと、
端末種別毎、端末毎、アクセス場所毎、利用者グループ／利用者単位のアクセス制御情報が記憶され、前記認証処理ステップにより正当な利用者と認証された場合、前記記憶された端末種別情報、端末識別情報、アクセス場所情報、利用者認証情報をもとに前記記憶された端末種別毎、端末毎、アクセス場所毎、利用者グループ／利用者単位のアクセス制御情報を取得するアクセス制御情報検索ステップと、
このステップにより取得されたアクセス制御情報が前記携帯端末からのアクセスを許可しているかを判断するアクセス許可判断ステップと、
このアクセス許可判断ステップにより該当携帯端末からのアクセスを許可していると判断された場合には所要の情報提供装置にアクセスするアクセス処理ステップとを有することを特徴とする認証処理方法。
【請求項９】
請求項８に記載の認証処理方法において、
予め端末種別情報・端末識別情報毎に団体を含む企業内システムまたは当該企業内特定情報の利用有無を規定する端末管理情報が記憶され、前記記憶された端末種別情報および端末識別情報をもとに前記記憶された端末管理情報を参照し、アクセスされた携帯端末が正当な端末か否かを判断し、正当な端末であれば前記前記利用者認証処理手段による認証処理に移行させる端末認証処理ステップを有することを特徴とする認証処理方法。
【発明の詳細な説明】
【０００１】
【発明の属する技術分野】
本発明は、例えば携帯電話、ＰＤＡ（Ｐｅｒｓｏｎａｌ　Ｄｉｇｉｔａｌ　Ａｓｓｉｓｔａｎｔｓ：携帯情報端末）等のモバイル端末に利用して好適な認証処理システム、認証処理装置、プログラム及び認証処理方法に関する。
【０００２】
【従来の技術】
近年、ネットワークを利用した各種のＷｅｂサービスが行われている。その一例としては、オンラインにより電子商取引を行う商品販売システムが挙げられる。このようなシステムでは、さまざまな機能を実現するソフトウエアが搭載され、利用者の認証、決済などのサービスが行われている。
【０００３】
以上のようなＷｅｂサービスにおいては、利用者ＩＤ／パスワード、ＳＳＬ（Ｓｅｃｕｒｅ　Ｓｏｃｋｅｔｓ　Ｌａｙｅｒ）で代表されるＰＫＩ（Ｐｕｂｌｉｃ　Ｋｅｙ　Ｉｎｆｒａｓｔｒｕｃｔｕｒｅ）などを用いて、利用者単位の認証（利用者認証）が行われている。このＰＫＩは、公開鍵暗号システムを利用してデータの暗号化や通信当事者の身分証明、通信データに対するデジタル署名を行うことにより、信頼性を保証する方式である。
【０００４】
ところで、以上のような利用者ＩＤ／パスワード、ＰＫＩ等を用いた利用者認証方式は、Ｗｅｂサービスを提供する通信事業者の運用方針に基づいて一律固定の方式が採られている。
【０００５】
また、Ｗｅｂサービスに対するアクセス制御は、利用者グループ、利用者単位のＡＣＬ（Ａｃｃｅｓｓ　Ｃｏｎｔｒｏｌ　Ｌｉｓｔ：アクセス制御リスト）に基づいて行われている。すなわち、利用者がネットワーク上のリソースである共有フォルダなどにアクセスするに際し、利用者グループ、利用者単位ごとに設定されるアクセス権に従って共有フォルダ等の必要なデータを利用できる形態となっている。
【０００６】
【発明が解決しようとする課題】
従って、以上のような利用者認証方式では、各通信事業者ごとの運用方針に基づいて一律固定方式を採用しているので、携帯電話やＰＤＡなどのモバイル端末からのアクセスに対し、当該端末により、或いは端末の能力により、Ｗｅｂサービスを利用する利用者認証方式に対応できない問題がある。ここで、端末とは、同じ通信事業者の場合には基本仕様が同じであるが、同じ通信事業者の各機種ごとに少しずつ仕様が異な場合が挙げられる。端末の能力とは、例えば文字数、画面サイズ、処理速度等が挙げられる。このような場合、同一の通信事業者のモバイル端末であっても、利用者認証方式に対応できない問題がある。
【０００７】
また、Ｗｅｂサービスに対するアクセス制御においても、利用者グループや利用者単位の制御であるので、利用者が使用している端末、端末種別（通信事業者ごと・同一通信事業者の異なる端末、アクセス場所などの利用形態に対応したアクセス制御ができない等の問題がある。
【０００８】
本発明は以上のような事情に鑑みてなされたもので、端末種別、各端末、端末の能力等の影響されずに柔軟に認証可能とする認証処理システム、認証処理装置、プログラム及び認証処理方法を提供することを目的とする。
【０００９】
【課題を解決するための手段】
（１）　上記課題を解決するために、本発明に係わる認証処理システムは、端末種別毎利用者認証方式を含む利用者認証情報が記憶され、携帯端末からネットワークを通じて前記端末種別情報を伴うアクセスを受けた場合に当該端末種別情報をもとに前記記憶された端末種別毎利用者認証方式の中から所定の利用者認証方式を決定し、前記アクセスを受けた携帯端末に対して当該利用者認証方式に従った利用者認証情報の入力または指定を促し、当該携帯端末から入力または指定により送られてくる利用者認証情報をもとに前記記憶された端末種別毎利用者認証情報を参照し、正当な利用者か否かを認証する認証処理装置を設けた構成であるる。
【００１０】
この発明は以上のような構成とすることにより、認証処理装置が携帯端末の端末種別に応じた利用者認証方式を決定し携帯端末に提供するので、携帯端末はその利用者認証方式に従った利用者認証情報を入力すれば、端末種別の違いに対しても正当な利用者か否かを確実に認証処理することが可能である。
【００１１】
なお、認証処理装置側に予め端末種別毎利用者認証方式を含む利用者認証情報の他に、端末種別毎、端末毎、アクセス場所毎、利用者グループ／利用者単位のアクセス制御情報を記憶しておけば、認証処理装置は、正当な利用者か否かの認証処理だけでなく、前記携帯端末からのアクセス時に送られてくる端末種別情報、端末識別情報、アクセス場所情報の他、利用者認証情報をもとに、端末種別毎、端末毎、アクセス場所毎、利用者グループ／利用者単位のアクセス制御情報を取得でき、この取得されたアクセス制御情報が前記携帯端末からのアクセスを許可しているか否かを判断し、許可している場合に所要の情報提供装置にアクセスするようにすれば、利用者が所持する端末種別、端末、アクセス場所等の利用形態に対応したアクセス制御が可能となる。
【００１２】
さらに、認証処理装置は、予め端末種別情報・端末識別情報毎に団体を含む企業内システムまたは当該企業内特定情報の利用有無を規定する端末管理情報が記憶され、前記記憶された端末種別情報および端末識別情報をもとに前記記憶された端末管理情報を参照し、アクセスされた携帯端末が正当な端末か否かを判断し、正当な端末であれば前記利用者認証手段による認証処理に移行させる端末認証処理手段を設ければ、アクセスされた携帯端末が正当な端末か否かを認証処理することが可能である。
【００１３】
（２）　本発明に係わる認証処理装置は、前記（１）に記載する通り、その実体の構成の殆どをもっているので、その認証処理装置によっても同様に実現可能である。
【００１４】
（３）　なお、認証処理装置による一連の処理は、プログラムをコンピュータに読取らせることにより、同様に実現できるものである。
【００１５】
（４）　本発明に係わる認証処理方法は、携帯端末からネットワークを通じて端末種別情報、端末識別情報、アクセス場所情報を伴うアクセスを前記認証処理装置が受けた場合にこれらの情報を記憶した後、予め記憶された端末種別毎利用者認証方式を含む利用者認証情報の中から前記端末種別情報に対応した利用者認証方式を決定し、該当携帯端末に前記利用者認証方式に従った利用者認証情報の入力または指定を促す端末種別認証方式決定ステップと、このステップに基づいて該当携帯端末から入力または指定に基づいて送られてくる利用者認証情報をもとに、前記認証処理装置が予め記憶される端末種別毎の利用者認証情報を参照し、正当な利用者か否かを認証する利用者認証処理ステップと、
端末種別毎、端末毎、アクセス場所毎、利用者グループ／利用者単位のアクセス制御情報が記憶され、前記認証処理ステップにより正当な利用者と認証された場合、前記記憶された端末種別情報、端末識別情報、アクセス場所情報、利用者認証情報をもとに前記記憶された端末種別毎、端末毎、アクセス場所毎、利用者グループ／利用者単位のアクセス制御情報を取得するアクセス制御情報検索ステップと、
このステップにより取得されたアクセス制御情報が前記携帯端末からのアクセスを許可しているかを判断するアクセス許可判断ステップと、
このアクセス許可判断ステップにより該当携帯端末からのアクセスを許可していると判断された場合には所要の情報提供装置にアクセスするアクセス処理ステップとを有する方法。
【００１６】
この認証処理方法によれば、端末種別認証方式決定ステップにおいて、端末種別情報に対応した利用者認証方式を携帯端末に通知し、前記利用者認証方式に従った利用者認証情報の入力または指定を促すので、利用者は認証処理装置が認証可能な利用者認証情報を入力でき、ひいては認証処理装置の利用者認証処理ステップにて携帯端末の端末種別に応じた利用者認証情報をもとに正当な利用者か否かを認証できる。
【００１７】
さらに、アクセス制御情報検索ステップでは、端末種別情報、端末識別情報、アクセス場所情報、利用者認証情報をもとに、予め記憶されている端末種別毎、端末毎、アクセス場所毎、利用者グループ／利用者単位のアクセス制御情報を取得し、アクセス許可判断ステップにて取得されたアクセス制御情報が前記携帯端末からのアクセスを許可しているかを判断するので、利用者が所持する端末種別、端末、アクセス場所等の利用形態に対応したアクセス制御が可能となる。
【００１８】
さらに、前述する（４）の各ステップに新たに、予め端末種別情報・端末識別情報毎に団体を含む企業内システムまたは当該企業内特定情報の利用有無を規定する端末管理情報が記憶され、前記記憶された端末種別情報および端末識別情報をもとに前記記憶された端末管理情報を参照し、アクセスされた携帯端末が正当な端末か否かを判断し、正当な端末であれば前記前記利用者認証処理手段による認証処理に移行させる端末認証処理ステップを付加する認証処理方法とすれば、端末を判断しつつ認証処理に移行させることが可能となる。
【００１９】
【発明の実施の形態】
以下、本発明の実施の形態について図面を参照して説明する。
【００２０】
（第１の実施の形態）
図１は本発明に係わる認証処理システムの一実施の形態を示す系統構成図である。
【００２１】
この実施の形態は、携帯電話２，ＰＤＡ（携帯情報端末）３が認証処理のもとに所要の情報提供サービスを受ける例である。
【００２２】
この認証処理システムは、通信事業者を含む各種の事業者が所有し管理するネットワーク１が設けられ、このネットワーク１には、各利用者が所持し、当該ネットワーク１を通して認証請求および所要の情報の授受を行う各種の携帯電話２及び各種のＰＤＡ３と、利用者が必要とする各種の情報を提供する情報提供サービスシステム４が無線または有線により接続されている。
【００２３】
前記ネットワーク１としては、電話通信事業者が所有する多数の基地局１１を備えた携帯電話網１２、異なるネットワーク間のプロトコル変換を行うインターネット接続ゲートウェイ１３、インターネット１４および当該インターネット１４上に接続されるＬＡＮ等に設置される無線ＬＡＮアクセスポイント１５等が設けられている。なお、ネットワーク１は、利用者の利用形態に応じて種々異なる網を利用することから、必ずしも図１に示すようなネットワーク系統に限定されるものではない。
【００２４】
携帯電話２は、少なくとも利用者の認証処理を司る利用者認証処理部２１を有する情報表示処理部２２と、端末種別情報を記憶する端末種別情報エリア２３および固体識別情報（端末識別情報）を記憶する固体識別情報エリア２４をもつ情報記憶部２５とが設けられている。ここで、端末種別情報とは、各通信事業者毎に取扱う機種、同一通信事業者の異なる機種などを表わす情報を意味する。固体識別情報とは、機器番号・電話番号等のごとき端末を一意に識別可能な情報を意味する。
【００２５】
この携帯電話２は、情報提供サービスシステム４へのアクセスに際し、情報表示処理部２２が情報記憶部２５の各エリア２３、２４の端末種別情報および固体識別情報を読み出し、ネットワーク１を経由して情報提供サービスシステム４に送信し、その結果、情報提供サービスシステム４から前記端末種別情報に応じて決定される利用者認証方式に基づく認証要求を利用者認証処理部２１で受け取り、この認証要求に応じて利用者認証情報を入力し、または予め設定されている中から指定された利用者認証情報を情報提供サービスシステム４に送信する機能をもっている。
【００２６】
ＰＤＡ３は、携帯電話２と同様に少なくとも利用者の認証処理を司る利用者認証処理部３１を有する情報表示処理部３２と、端末種別情報を記憶する端末種別情報エリア３３および固体識別情報を記憶する固体識別情報エリア３４をもつ情報記憶部３５とが設けられ、ＰＤＡ３本体に装填される無線ＬＡＮカード３６から端末種別情報、固体識別情報等を伴うアクセスや前述する利用者認証情報を送信し、無線ＬＡＮアクセスポイント５を通して情報提供サービスシステム４に通知する構成である。
【００２７】
なお、説明の便宜上、これら携帯電話２およびＰＤＡ３については必要に応じて携帯端末２，３と総称する。
【００２８】
前記情報提供サービスシステム４は、各種の情報を記憶するデータベース４１と、携帯端末２，３からのアクセスによる情報サービス提供に先立って認証処理を行う認証処理装置４２と、ＨＴＭＬ言語で記述される各種の情報を提供するＷｅｂサーバ４３とによって構成されている。４４は認証処理用プログラムを記録するプログラムメモリである。
【００２９】
このデータベース４は、図２に示すようにネットワーク１を含む携帯端末２、３側から送信されてくる種々の情報を記憶する端末情報記憶エリア４１１、予め端末種別毎の利用者認証情報および端末種別毎の利用者認証方式が記憶されている認証情報記憶エリア４１２、予め端末種別毎、端末毎、アクセス場所毎のアクセス制御情報が記憶されている第１のアクセス制御情報記憶エリア４１３および利用者グループ／利用者毎のアクセス制御情報が記憶されている第２のアクセス制御情報記憶エリア４１４が設けられている。
【００３０】
前記認証処理装置４２は、ネットワーク１を含む携帯端末２、３側から端末種別情報、端末識別情報（固体識別情報）、基地局１１からのアクセス場所情報が送られてくると、それらの情報を取得しデータベース４１の端末情報記憶エリア４１１に記憶する端末情報取得記憶手段４２１と、この端末情報取得記憶手段４２１により端末情報記憶エリア４１１に記憶された各種の情報のうち端末種別情報に基づいて認証情報記憶エリア４１２を参照し利用者認証方式を決定し、この決定された利用者認証方式に対応した認証要求を携帯端末２，３に通知し、この認証要求に含む利用者認証方式に対応した利用者認証情報の入力または指定を促すとともに、該当携帯端末２，３から入力され、あるいは指定により送られてくる利用者認証情報をもとに認証情報記憶エリア４１２を参照し、正当な利用者か否かを認証し、また利用者認証情報を利用者識別情報として端末情報記憶エリア４１１に記憶する利用者認証処理手段４２２と、端末情報記憶エリア４１１に記憶されている端末種別情報、端末識別情報、アクセス場所情報をもとに第１のアクセス制御情報記憶エリア４１３から端末種別毎、端末毎、アクセス場所毎のアクセス制御情報を検索し取得し、また利用者識別情報をもとに第２のアクセス制御情報記憶エリア４１４から利用者グループ／利用者単位のアクセス制御情報を検索し取得し、これらアクセス制御情報を検査し、各アクセス制御情報の内容から端末種別毎、端末毎、アクセス場所毎、利用者グループ／利用者毎の全てのアクセス可能とあれば、該当携帯端末２，３からのアクセスを許可していると判断するアクセス制御処理手段４２３と、該当する携帯端末２，３がアクセスを許可されている場合、情報提供装置であるＷｅｂサーバ４３にアクセスするサーバアクセス処理手段４２４とによって構成されている。
【００３１】
従って、以上のような認証処理装置４２の実施の形態によれば、携帯端末２，３側から端末種別情報、端末識別情報（固体識別情報）、アクセス場所情報を受信記憶すると、端末種別情報に基づいて認証情報記憶エリア４１２の登録内容から端末種別にあった利用者認証方式を決定し、携帯端末２、３側に通知し、利用者認証方式に対応した利用者認証情報の入力または指定を促すので、その入力または指定される利用者認証情報に基づき、認証情報記憶エリア４１２の記憶されている利用者認証情報を参照し、正当な利用者か否かを認証するので、各通信事業者毎に異なる端末であっても、また同一通信事業者の異なる端末であっても、確実、かつ、的確に認証処理を行うことができる。
【００３２】
さらに、アクセス制御処理手段４２３では、端末情報記憶エリア４１１に記憶される各種の情報をもとに、アクセス制御情報記憶エリア４１３、４１４の端末種別毎、端末毎、アクセス場所毎のアクセス制御情報を検索し取得し、各アクセス制御情報を検査し、携帯端末２，３がアクセスを許されているか否かを判断するので、各種の端末の例えば端末機種ごと、端末ごと、アクセス場所等の利用形態に対応したアクセス制御を行うことができる。
【００３３】
次に、本発明に係わるＣＰＵで構成された認証処理装置４２がプログラムメモリ４４の認証処理用プログラムを読み取って一連の処理を実行する例について図１、図３のフローチャートを用いて説明する。なお、携帯端末２，３側は、認証処理装置４２が認証処理用プログラムに基づく一連の処理を実行するに先立ち、当該認証処理用プログラムに対応する端末内処理プログラムが既に搭載されているか、或いは搭載されいない場合には情報提供サービスシステム４からダウンロードすることにより、認証処理装置４２側認証処理用プログラムの処理に対応可能にするものとする。
【００３４】
認証処理装置４２の端末情報取得記憶手段４２１は、携帯端末２，３側から端末自体が保有する端末種別情報、固体識別情報、アクセス場所情報等を受信したか否かを判断し（Ｓ１）、受信したと判断した場合にはこれらの情報を端末情報記憶エリア４１１に記憶する（固体識別情報は端末識別情報として記憶する）（Ｓ２）。しかる後、利用者認証処理手段４２２は、端末情報記憶エリア４１１から端末種別情報を取り出し、当該端末種別情報をもとに認証情報記憶エリア（図２参照）４１２に記憶されている端末種別毎の利用者認証情報の中から当該携帯端末の端末種別に対応する利用者認証方式を決定し、携帯端末２，３側に認証要求を通知し、携帯端末２，３の利用者から利用者認証方式に従った利用者認証情報の入力または指定を促す（Ｓ３）。これらＳ１〜Ｓ３は端末種別認証方式決定機能に相当する。
【００３５】
認証処理装置４２の利用者認証処理手段４２２は、携帯端末２，３側から利用者認証情報が有ったか否かを判断し（Ｓ４）、有りと判断された場合には端末情報記憶エリア４１１に利用者識別情報として記憶した後（Ｓ５）、端末識別情報および利用者識別情報に基づき、認証情報記憶エリア４１２を参照し、端末種別に対応した利用者認証情報が存在するか否かを検索し（Ｓ６）、存在すれば正当な利用者と判断し、一方、正当な利用者でない場合には認証拒否情報を携帯端末２，３に通知する（Ｓ７）。これらＳ４〜Ｓ７は利用者認証処理機能に相当する。
【００３６】
引き続き、認証処理装置４２のアクセス制御処理手段４２３は、端末情報記憶エリア４１１から端末種別情報、端末識別情報、アクセス場所情報を取り出し、第１のアクセス制御情報記憶エリア４１３から端末種別毎、端末毎、アクセス場所毎のアクセス制御情報を検索し取得し、また端末情報記憶エリア４１１からの利用者識別情報を基に第２のアクセス制御情報記憶エリア４１４から利用者グループ／利用者毎のアクセス制御情報を検索し取得する（Ｓ８）。しかる後、これら各アクセス制御情報ごとに検査し、携帯端末２，３からのアクセスが許可されているか否かを判断し（Ｓ９）、全てアクセスが許可されている場合には次のステップＳ１０に移行し、１つでもアクセスが許可されていない場合にはアクセス拒否情報を携帯端末２，３に通知する（Ｓ１０）。これらＳ８〜Ｓ１０はアクセス許可判断機能に相当する。
【００３７】
認証処理装置４２のサーバアクセス処理手段４２４は、Ｗｅｂサーバ４３にアクセス処理を実行し（Ｓ１１）、そのアクセス結果をネットワーク１を介して携帯電話２の情報表示処理部２２に通知する（Ｓ１２）。これらＳ１１，Ｓ１２はアクセス処理機能に相当する。
【００３８】
なお、以上のような一連の処理は終了指示があるまで繰り返し実行される（Ｓ１３）。
【００３９】
従って、以上のようにＣＰＵからなる認証処理装置４２がプログラムメモリ４４の記録される認証処理用プログラムに従って以上のような機能を実現することにより、前述する認証装置４２と同様の効果を奏することができる。
【００４０】
さらに、以上のような認証処理システムの動作及び本発明に係わる認証処理方法について図１、図４を参照して説明する。
【００４１】
［携帯端末が携帯電話２の場合］
（１）　利用者は、自身が所持する携帯電話２から電話通信事業者が管理する基地局１１、携帯電話網１２、インターネット接続ゲートウエイ１３およびインターネット１４を介して情報提供サービスシステム４にアクセスする。この際、携帯電話２の情報表示処理部２２は、情報記憶部２５の各情報エリア２３，２４から端末種別情報および固体識別情報を読み出し、ネットワーク１に送信する（ＳＴ１）。このとき、端末種別情報および固体識別情報によるアクセスの過程において、ネットワーク１の基地局１１はアクセス場所情報を付加し、インターネット接続ゲートウエイ１３およびインターネット１４を介して情報提供サービスシステム４に通知する（ＳＴ２）。
【００４２】
（２）　この情報提供サービスシステム４における認証処理装置４２の端末情報取得記憶手段４２１は、ネットワーク１を含む携帯電話２から送信されてくる端末種別情報、端末識別情報（固体識別情報）、アクセス場所情報を取得し、データベース４１の端末情報記憶エリア４１１に記憶する（ＳＴ３）。
【００４３】
（３）　ここで、認証処理装置４２の利用者認証処理手段４２２は、端末情報記憶エリア４１１に記憶される端末種別情報を取得し、認証情報記憶エリア４１２に登録される端末種別毎の利用者認証情報の中から当該端末種別に対応した利用者認証方式を決定し（ＳＴ４）、この決定された利用者認証方式を含む認証要求を、ネットワーク１を介して携帯電話２の利用者認証処理部２１に通知する（ＳＴ５）。
【００４４】
（４）　この携帯電話２の利用者認証処理部２１は、認証処理装置４２の端末情報取得記憶手段４２１から通知された認証要求に含む利用者認証方式に対応した利用者認証情報について、利用者に入力または指定するように促す。
【００４５】
ここで、利用者が利用者認証情報を入力または指定すると、当該利用者認証情報はネットワーク１を介して認証処理装置４２の利用者認証処理手段４２２に通知する（ＳＴ６）。これら（２）〜（４）の処理は端末種別認証方式決定ステップに相当する。
【００４６】
（５）　認証処理装置４２の利用者認証処理手段４２２は、携帯電話２から通知された利用者認証情報を受信し、利用者識別情報として端末情報記憶エリア４１１に記憶するとともに、この端末情報記憶エリア４１１から記憶される利用者識別情報および端末種別情報をもとに、前記認証情報記憶エリア４１２に既に登録されている端末種別毎の利用者認証情報の中に送られてきた利用者識別情報が存在するか否か、つまり正当な利用者か否かを認証する（ＳＴ７）。この認証の結果、正当な利用者でない場合、利用者認証処理手段４２２は、認証拒否をネットワーク１を介して携帯電話２の利用者認証処理部２１に通知し（ＳＴ８）、正当な利用者である場合には次のアクセス制御処理手段４２３に移行する。これらＳＴ７，ＳＴ８は利用者認証処理ステップに相当する。
【００４７】
（６）　認証処理装置４２のアクセス制御処理手段４２３は、端末情報記憶エリア４１１から端末種別情報、端末識別情報、アクセス場所情報、利用者識別情報を読み出し、そのうち端末種別情報、端末識別情報、アクセス場所情報を基に第１のアクセス制御情報記憶エリア４１３から端末種別毎、端末毎、アクセス場所毎のアクセス制御情報を検索し（ＳＴ９）、それぞれのアクセス制御情報を取得する。
【００４８】
また、認証処理装置４２のアクセス制御処理手段４２３は、利用者識別情報を基に、第２のアクセス制御情報記憶エリア４１４から利用者グループ／利用者毎のアクセス制御情報を検索し（ＳＴ９）、アクセス制御情報を取得する。この処理は機能別・利用者別アクセス制御情報検索ステップに相当する。
【００４９】
（７）　さらに、認証処理装置４２のアクセス制御処理手段４２３は、前記ＳＴ９で取得した端末種別毎、端末毎、アクセス場所毎、利用者グループ／利用者毎のアクセス制御情報を検査し（ＳＴ１０）、それぞれのアクセス制御情報の内容が異なる場合には論理積を採る。つまり、端末種別毎のアクセス制御情報が当該携帯端末のアクセスを認めるが、端末毎のアクセス制御情報が認めない場合には、アクセス拒否をネットワーク１を介して携帯電話２の情報表示処理部２２に通知する（ＳＴ１１）。これらＳＴ１０，ＳＴ１１はアクセス許可判断ステップに相当する。
【００５０】
（８）　一方、全てのアクセス制御情報が携帯電話２からのアクセスを許可している場合にはＷｅｂサーバ４３にアクセス処理を実行し（ＳＴ１２）、そのアクセス結果をネットワーク１を介して携帯電話２の情報表示処理部２２に通知する（ＳＴ１３）。これらＳＴ１２，ＳＴ１３はアクセス処理ステップに相当する。
【００５１】
［携帯端末がＰＤＡ３の場合］
携帯端末がＰＤＡ３の場合は、無線ＬＡＮカード３６および無線ＬＡＮアクセスポイント１５を経由して情報提供サービスシステム４との間で所定の情報の授受すること、ＰＤＡ３からアクセス過程では、端末種別情報、固体識別情報に無線ＬＡＮアクセスポイント１５からアクセス場所情報を付与すること等を除けば、ＰＤＡ３と情報提供サービスシステム４の認証処理装置４２との間の処理手順は、携帯電話２の場合と全く同じである。
【００５２】
なお、ＰＤＡ３であっても、機種、性能或いは用途等に応じて基地局１１、携帯電話網１２を経由する場合も想定できるが、この場合には携帯電話２に準じて処理されるものである。
【００５３】
従って、以上のような認証処理システムおよび認証処理方法によれば、携帯端末２，３が予め登録されている端末種別情報、固体識別情報を読み出し、情報提供サービスシステム４にアクセスすれば、当該情報提供サービスシステム４の認証処理装置４２が端末種別情報に基づき、認証情報記憶エリア４１２に登録される端末種別毎の利用者認証情報の中から利用者認証方式を見つけ出し、その端末種別毎の利用者認証方式を携帯端末２，３に通知し、当該認証方式に合致する利用者認証情報の入力または予め複数の認証方式に伴う利用者認証情報が登録されている場合にはその指定により、利用者認証情報の送信を要求するので、利用者が所持する携帯端末２，３の端末種別に合致する利用者認証方式を選択し、利用者に認証の用意が有ることを通知することができる。
【００５４】
また、携帯端末２，３側から入力または指定される利用者認証情報を受けると、認証情報記憶エリア４１２の登録内容を参照し正当な利用者か否かを認証するので、各通信事業者毎に異なる端末であっても、また同一通信事業者の異なる端末であっても、確実、かつ、的確に認証処理を行うことができる。
【００５５】
さらに、端末情報記憶エリア４１１に記憶される端末種別情報、端末識別情報、アクセス場所情報、利用者グループ／利用者単位情報のもとに、アクセス情報登録エリア４１３，４１４に登録される端末種別毎、端末毎、アクセス場所毎、利用者グループ／利用者毎のアクセス制御情報を取得し、検査し、端末アクセスの許可有無を調べるので、例えば端末機種ごと、端末ごと、アクセス場所ごとにアクセスの許可状態を調べてＷｅｂサーバ４３にアクセスできる。
【００５６】
（第２の実施の形態）
図５は本発明に係わる認証処理システムの他の実施の形態を示す系統図である。なお、同図において図１、図２と同一部分には同一符号を付することにより、その詳しくは図１，図２の説明に譲り、以下、異なる部分について説明する。
【００５７】
この実施の形態は、携帯電話網１２による企業内情報のアクセスに対し、団体等を含む企業が所有する各システムの情報、企業内情報を提供するに際し、各システム、企業内情報内容のアクセス権限、認証処理及びアクセス処理を実行し、例えば予め登録された特定の端末だけに各システム情報或いは企業内特定情報をＷｅｂサーバ４３を通して提供する例である。
【００５８】
このシステムの異なるところは、情報提供サービスシステム４のデータベース４１には、新たに図６に示すように、端末種別及び端末識別ごとに企業、団体が所有する複数のシステムの何れのシステムに接続アクセスできるを規定する端末管理情報が登録されている端末管理情報記憶エリア４１５が設けられ、また情報提供サービスシステム４における認証処理装置４２の端末情報取得記憶手段４２１と利用者認証処理手段４２２との間に、端末情報記憶エリア４１１に記憶される端末種別情報および端末識別情報を読み出し、所要のシステムにアクセスするに際して正当な端末であるか否かを判断する端末認証処理手段４２６が設けられている。
【００５９】
従って、プログラムメモリ４４にも上述する判断機能をもった認証処理用プログラムが記憶されている。
【００６０】
次に、このシステムの動作および認証処理方法について図７を参照して説明する。
【００６１】
この例は、
（１）　利用者は、自身が所持する携帯電話２から電話通信事業者が管理する基地局１１、携帯電話網１２、インターネット接続ゲートウエイ１４およびインターネット１４を介して情報提供サービスシステム４にアクセスする。この際、携帯電話２の情報表示処理部２２は、情報記憶部２５の各情報エリア２３，２４から端末種別情報および固体識別情報を読み出し、ネットワーク１に送信する（ＳＴ２１）。このとき、端末種別情報および固体識別情報によるアクセスの過程において、ネットワーク１の基地局１１はアクセス場所情報を付加し、インターネット接続ゲートウエイ１４およびインターネット１４を介して情報提供サービスシステム４に通知する（ＳＴ２２）。
【００６２】
（２）　この情報提供サービスシステム４における認証処理装置４２の端末情報取得記憶手段４２１は、ネットワーク１を含む携帯電話２から送信されてくる端末種別情報、端末識別情報（固体識別情報）、アクセス場所情報を取得し、データベース４１の端末情報記憶エリア４１１に記憶する（ＳＴ２３）。
【００６３】
（３）　認証処理装置４２の端末認証処理手段４２５は、端末情報記憶エリア４１１から端末種別情報および端末識別情報を取得し、これら端末種別情報および端末識別情報をもとに端末管理情報記憶エリア４１５の端末管理情報を検索し、当該携帯電話２が企業内各システム、企業内機密情報のアクセス権限を有するか否かを認証する（ＳＴ２４）。この端末認証の結果、正当な携帯電話２でない場合には、端末認証処理手段４２５は、端末認証拒否通知をネットワーク１を経由して携帯電話２に通知する（ＳＴ２５）。ＳＴ２４、ＳＴ２５は端末認証処理ステップに相当する。
【００６４】
（４）　ＳＴ２４において、正当な携帯電話２であると認証された場合、認証処理装置４２の利用者認証処理手段４２２は、端末情報記憶エリア４１１に記憶される端末種別情報を取得し、認証情報記憶エリア４１２に登録される端末種別毎の利用者認証情報から当該端末種別に対応した利用者認証方式を決定し（ＳＴ２６）、この決定された利用者認証方式を含む認証要求を、ネットワーク１を介して携帯電話２の利用者認証処理部２１に通知する（ＳＴ２７）。
【００６５】
（５）　この携帯電話２の利用者認証処理部２１は、認証処理装置４２の端末情報取得記憶手段４２１から通知された認証要求に含む利用者認証方式に対応した利用者認証情報について、利用者に入力または指定するように促す。
【００６６】
ここで、利用者が利用者認証情報を入力または指定すると、当該利用者認証情報はネットワーク１を介して認証処理装置４２の利用者認証処理手段４２２に通知する（ＳＴ２８）。これら（２）〜（４）のＳＴ２６，ＳＴ２７，（５）のＳＴ２８の処理は端末種別認証方式決定ステップに相当する。
【００６７】
（６）　認証処理装置４２の利用者認証処理手段４２２は、携帯電話２から通知された利用者認証情報を受信し、端末情報記憶エリア４１１に利用者識別情報として記憶するとともに、この端末情報記憶エリア４１１から記憶されている端末種別情報および利用者識別情報をもとに、当該利用者識別情報が前記認証情報記憶エリア４１２に既に登録されている端末種別毎の利用者認証情報の中に存在するか否か、つまり正当な利用者か否かを検査する（ＳＴ２９）。この検査の結果、正当な利用者でない場合、利用者認証処理手段４２２は、認証拒否をネットワーク１を介して携帯電話２の利用者認証処理部２１に通知し（ＳＴ３０）、正当な利用者である場合には次のアクセス制御処理手段４２３に移行する。これらＳＴ２９，ＳＴ３０は利用者認証処理ステップに相当する。
【００６８】
（７）　認証処理装置４２のアクセス制御処理手段４２３は、端末情報記憶エリア４１１から端末種別情報、端末識別情報、アクセス場所情報、利用者識別情報を読み出し、そのうち端末種別情報、端末識別情報、アクセス場所情報を基に第１のアクセス制御情報記憶エリア４１３から端末種別毎、端末毎、アクセス場所毎のアクセス制御情報を検索し（ＳＴ３１）、それぞれのアクセス制御情報を取得する。
【００６９】
また、認証処理装置４２のアクセス制御処理手段４２３は、利用者識別情報を基に、第２のアクセス制御情報記憶エリア４１４から利用者グループ／利用者毎のアクセス制御情報を検索し（ＳＴ３１）、アクセス制御情報を取得する。この処理はアクセス制御情報検索ステップに相当する。
【００７０】
（７）　さらに、認証処理装置４２のアクセス制御処理手段４２３は、前記ＳＴ９で取得した端末種別毎、端末毎、アクセス場所毎、利用者グループ／利用者毎のアクセス制御情報を検査し（ＳＴ３２）、それぞれのアクセス制御情報の内容が異なる場合には論理積を採る。つまり、端末種別毎のアクセス制御情報が当該携帯端末のアクセスを認めるが、端末毎のアクセス制御情報が認めない場合には、アクセス拒否をネットワーク１を介して携帯電話２の情報表示処理部２２に通知する（ＳＴ３３）。これらＳＴ３２，ＳＴ３３はアクセス許可判断ステップに相当する。
【００７１】
（８）　一方、全てのアクセス制御情報が携帯電話２からのアクセスを許可している場合にはＷｅｂサーバ４３にアクセス処理を実行し（ＳＴ３４）、そのアクセス結果をネットワーク１を介して携帯電話２の情報表示処理部２２に通知する（ＳＴ３５）。これらＳＴ３４，ＳＴ３５はアクセス処理ステップに相当する。
【００７２】
従って、この第２の実施の形態における認証処理システムおよび認証処理方法によれば、第１の実施の形態と同様の効果を奏する他、企業内の各システムや特定の情報のアクセスに対し、予め登録されている正当な端末だけにシステムの情報または特定の情報を提供することが可能となる。
【００７３】
なお、この実施の形態では、携帯電話２について説明したが、ＰＤＡ３についても同様に適用可能である。
【００７４】
その他、本願発明は、上記実施の形態に限定されるものでなく、その要旨を逸脱しない範囲で種々変形して実施できる。
【００７５】
例えば情報提供サービスの際に認証処理するシステムとしては、携帯電話を用いたチケット予約システムや携帯電話を用いたタウン情報提供システム、さらにＰＤＡを用いて無線ＬＡＮで接続するビル管理システムなどに適用できる。
【００７６】
１）　チケット予約システムについて。
【００７７】
携帯電話２を用いてチケットを予約し、チケットを提示する場所（列車内、航空機／ホテルのチェックイン・カウンタ、コンサート会場等）では、携帯電話に表示された電子チケットを提示するようなチケット予約システムにおいては、予約時に端末認証、利用者認証を行っているので、当該携帯電話が予約時に使用したものかを、チケット提示時に検査することにより、偽造やコピーした電子チケットの提示を拒否することができる。
【００７８】
２）　ビル管理システムについて。
【００７９】
携帯電話のアクセス時に付加されるアクセス場所によるアクセス制御を行うことにより、最寄のタウン情報を容易に該当携帯電話に提供できる。
【００８０】
３）　タウン情報提供システムについて。
【００８１】
無線ＬＡＮのアクセスポイントに対応したアクセス場所によるアクセス制御を行うことにより、管理対象のフロア（階）やゾーン毎の管理情報を迅速に検索できる。また、端末認証や利用者認証、端末毎、利用者毎のアクセス制御によって管理者以外は管理システムにアクセスできないようにすることができ、ビル管理機器の不正操作を未然に回避できる。
【００８２】
さらに、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００８３】
【発明の効果】
以上説明したように本発明によれば、端末種別、各端末、端末の能力等に影響されずに柔軟に認証処理する認証処理システム、認証処理装置、プログラム及び認証処理方法を提供できる。
【図面の簡単な説明】
【図１】本発明に係わる認証処理システムの一実施の形態を示す系統構成図。
【図２】図１に示す認証処理装置の一具体例を示す構成図。
【図３】本発明に係わる認証処理装置によるプログラムによる一連の処理例を説明するフローチャート。
【図４】本発明に係わる認証処理方法の一実施の形態を説明するシーケンス図。
【図５】本発明に係わる認証処理システムの他の実施の形態を示す系統構成図。
【図６】図５に示す認証処理装置の一具体例を示す構成図。
【図７】本発明に係わる認証処理方法の他の実施の形態を説明するシーケンス図。
【符号の説明】
１…ネットワーク
２…携帯電話
３…ＰＤＡ
４…情報提供サービスシステム
１１…基地局
１２…携帯電話網
１３…インターネット接続ゲートウエイ
１４…インターネット
１５…無線ＬＡＮアクセスポイント
２１，３１…利用者認証処理部
２２，３２…情報表示処理部
２３，３３…端末種別情報エリア
２４，３４…固体識別情報エリア
２５，３５…情報記憶部
３６…無線ＬＡＮカード
４１…データベース
４２…認証処理装置
４３…Ｗｅｂサーバ
４４…プログラムメモリ
４１１…端末情報記憶エリア
４１２…認証情報記憶エリア
４１３…第１のアクセス制御情報記憶エリア
４１４…第１のアクセス制御情報記憶エリア
４１５…端末管理情報記憶エリア
４２１…端末情報取得記憶手段
４２２…利用者認証処理手段
４２３…アクセス制御処理手段
４２４…サーバアクセス処理手段
４２５…端末認証処理手段
【図１】
2004021686.tif 000003
【図２】
2004021686.tif 000004
【図３】
2004021686.tif 000005
【図４】
2004021686.tif 000006
【図５】
2004021686.tif 000007
【図６】
2004021686.tif 000008
【図７】
2004021686.tif 000009